(57)【要約】【課題】取り込みすべき原稿に付されているシート片（例えば、付箋）が原稿から外されて原稿搬送装置内又は画像形成装置内に残留すること、及び原稿を取り込むローラ及び前記原稿の間にシート片が介在し、前記ローラの回転力が充分に原稿に伝わらず、前記原稿の取り込みを的確に行われないことに起因する不都合が生じることを未然に防止することが出来る原稿搬送装置及び画像形成装置を提供する。【解決手段】原稿Ａにシート片Ｂが付されて、原稿Ａの取り込み方向の後端から延出されている場合、ＣＰＵがシート片検出部１１にシート片Ｂの検出を指示し、シート片検出部１１の検出結果に基づき、ピックアップローラ１５を軸方向に移動させる回転モータ１２にピックアップローラ１５を軸方向に移動させるように指示する。【選択図】図５
2010089882.tif 000002
【特許請求の範囲】
【請求項１】
原稿を取り込んで搬送する原稿搬送装置において、
原稿搬送方向に垂直な方向に移動可能であり、原稿を搬送するローラを備えていることを特徴とする原稿搬送装置。
【請求項２】
前記ローラを軸方向に移動させる移動手段と、
前記原稿の取り込み方向の後端から延出されたシート片の有無を検出する検出手段と、
該検出手段の検出結果に基づき、前記移動手段に前記ローラの移動を指示する指示手段と
を備えていることを特徴とする請求項１に記載の原稿搬送装置。
【請求項３】
前記検出手段は、前記軸方向における前記シート片の位置を検出するように構成されており、
前記検出手段の検出結果に基づき、前記ローラの移動量を算出する算出手段を備えていることを特徴とする請求項２に記載の原稿搬送装置。
【請求項４】
請求項１乃至３のいずれか一つに記載の原稿搬送装置と、
該原稿搬送装置から搬送された原稿を載置する原稿台と、
該原稿台に載置された原稿の画像データを読み取る読取手段とを備え、
前記画像データに基づく画像を記録用シート上に形成するように構成されていることを特徴とする画像形成装置。
【発明の詳細な説明】
【技術分野】
【０００１】
本発明は、自動に原稿を取り込んで搬送する原稿搬送装置及び該原稿搬送装置を備える画像形成装置に関する。
【背景技術】
【０００２】
近年、複写機のような画像形成装置には、画像読取部に原稿を自動的に搬送する原稿搬送装置が備えられている。該原稿搬送装置は原稿トレイ及び該原稿トレイの原稿を取り込むローラ対を備え、前記原稿トレイに載置された原稿束から原稿を１枚ずつ原稿搬送路へ取り込み、画像形成装置の画像読取部へ搬送するものである。
【０００３】
このような原稿搬送装置において、付箋が付されたままの原稿が前記原稿搬送装置の原稿トレイに載置される場合がある。このような場合は、付箋が付されたままの原稿が前記原稿搬送路へ取り込まれる際、前記付箋が前記ローラ対に挟まれ、該ローラ対の回転力によって原稿から外され、前記原稿搬送装置内又は画像形成措置内に残留する恐れがある。このような、前記原稿搬送装置内又は画像形成措置内に残留する付箋は、各種故障の原因となり、装置の寿命を短くする。
【０００４】
また、前記付箋が前記ローラ対に挟まれた状態で、該ローラ対が回転した場合は、前記付箋がローラと原稿との間に介在し、前記ローラと原稿の接触を妨害する。従って、前記ローラ対の回転力が充分に原稿に伝わらず、原稿の取り込みを的確に行うことが出来ない。
【０００５】
特許文献１には、原稿搬送路にレーザー光源及び受光素子を備え、該受光素子の受光量の変化から前記原稿搬送路を通過する原稿の厚さを監視するように構成した自動原稿送り装置が開示されている。特許文献１の自動原稿送り装置は、前記受光素子の受光量が減少した場合は、当該原稿に付箋、ステープル等が付着されているとみなし、原稿送りを停止する。
【特許文献１】特開２０００−２５５８３０号公報
【発明の開示】
【発明が解決しようとする課題】
【０００６】
しかしながら、特許文献１の自動原稿送り装置は、原稿送りが停止した場合、付箋が付着されている原稿を前記原稿トレイから取り出し、該原稿から前記付箋を取り除いた後に原稿送りを再開させ、原稿送りが終了した後は、再び、付箋を元の位置に付する作業を行う必要があり、業務実行が遅延される結果をもたらすという問題がある。
【０００７】
本発明は、斯かる事情に鑑みてされたものであり、その目的とするところは、原稿を取り込んで搬送する原稿搬送装置の原稿搬送方向に垂直な方向に移動可能であり、原稿を搬送するローラを備え、ユーザが必要に応じて前記ローラを軸方向に移動させることが可能に構成することにより、シート片（例えば、付箋）が付されたままの原稿を原稿搬送する場合は、前記ローラが前記シート片に当たらないように前記ローラを移動させ、前記シート片が前記ローラによって原稿から外されて原稿搬送装置内又は画像形成措置内に残留すること、及び前記ローラの回転力が充分に原稿に伝わらず、前記原稿の取り込みを的確に行われないことに起因する不都合が生じることを未然に防止することが出来る原稿搬送装置及び画像形成装置を提供することにある。
【０００８】
また、本発明の他の目的は、前記ローラを軸方向に移動させる移動手段と、原稿の取り込み方向の後端から延出されたシート片の有無を検出する検出手段と、該検出手段の検出結果に基づき、前記移動手段に前記ローラの移動を指示する指示手段とを備え、原稿にシート片が付されて前記後端から延出されている場合は、前記検出手段が前記シート片を検出し、前記指示手段が前記ローラを移動させるように前記移動手段に指示することにより、前記シート片が原稿から外されて原稿搬送装置内又は画像形成措置内に残留すること、及び前記ローラの回転力が充分に原稿に伝わらず、前記原稿の取り込みを的確に行われないことに起因する不都合が生じることを未然に防止することが出来る原稿搬送装置及び画像形成装置を提供することにある。
【課題を解決するための手段】
【０００９】
本発明に係る原稿搬送装置は、原稿を取り込んで搬送する原稿搬送装置において、原稿搬送方向に垂直な方向に移動可能であり、原稿を搬送するローラを備えていることを特徴とする。
【００１０】
本発明にあっては、例えば、シート片が付されたままの原稿の画像読み取りを行う場合、ユーザが前記ローラを前記原稿搬送方向に垂直な方向に移動させ、前記シート片が付されたままの原稿を取り込む際、前記ローラが前記シート片に当たらないようにする。
【００１１】
本発明に係る原稿搬送装置は、前記ローラを軸方向に移動させる移動手段と、前記原稿の取り込み方向の後端から延出されたシート片の有無を検出する検出手段と、該検出手段の検出結果に基づき、前記移動手段に前記ローラの移動を指示する指示手段とを備えていることを特徴とする。
【００１２】
本発明にあっては、前記検出手段が、取り込み方向における原稿の後端から延出されたシート片（例えば、付箋）の有無を検出する。前記検出手段によってシート片が検出された場合、前記指示手段が前記移動手段に前記ローラを移動させるように指示する。前記指示手段の指示に従って前記移動手段が前記ローラを移動させ、前記原稿を取り込む際、前記前記ローラが前記シート片に当たらないようにする。
【００１３】
本発明に係る原稿搬送装置は、前記検出手段は、前記軸方向における前記シート片の位置を検出するように構成されており、前記検出手段の検出結果に基づき、前記ローラの移動量を算出する算出手段を備えていることを特徴とする。
【００１４】
本発明にあっては、前記検出手段が前記軸方向における前記シート片の位置を検出し、前記検出手段の検出結果に基づき、前記算出手段が前記ローラの移動量を算出する。算出された移動量に基づき、前記移動指示手段は前記ローラを移動させる。
【００１５】
本発明に係る画像形成装置は、前述の本発明のいずれか一つの原稿搬送装置と、該原稿搬送装置から搬送された原稿を載置する原稿台と、該原稿台に載置された原稿の画像データを読み取る読取手段とを備え、前記画像データに基づく画像を記録用シート上に形成するように構成されていることを特徴とする。
【００１６】
本発明にあっては、前記原稿搬送装置から搬送された原稿が前記原稿台に載置され、前記読取手段が、前記原稿台に載置された原稿の画像データを読み取る。前記読取手段によって読み取られた画像データに基づき、記録用シート上に画像が形成される。
【発明の効果】
【００１７】
本発明によれば、ユーザが必要に応じて前記ローラを前記原稿搬送方向に垂直な方向に移動させることが可能であるので、シート片（例えば、付箋）が付されたままの原稿を原稿搬送する場合は、前記ローラが前記シート片に当たらないように前記ローラを移動させ、前記シート片が前記ローラによって原稿から外されて原稿搬送装置内又は画像形成措置内に残留すること、及び前記ローラの回転力が充分に原稿に伝わらず、前記原稿の取り込みを的確に行われないことに起因する不都合が生じることを未然に防止することが出来る。
【００１８】
また、本発明によれば、原稿にシート片が付されて前記後端から延出されている場合は、前記検出手段が前記シート片を検出し、前記指示手段が前記ローラを移動させるように前記移動手段に指示するので、前記シート片が原稿から外されて原稿搬送装置内又は画像形成措置内に残留すること、及び前記ローラの回転力が充分に原稿に伝わらず、前記原稿の取り込みを的確に行われないことに起因する不都合が生じることを未然に防止することが出来る。
【発明を実施するための最良の形態】
【００１９】
以下、本発明をその実施の形態を示す図面に基づいて詳述する。本発明に係る原稿読取装置及び画像形成装置として、コピー機能、印刷機能、ファクシミリ機能等を有するデジタル複合機を例に挙げて説明する。
【００２０】
図１は本発明に係るデジタル複合機の内部構成を示す模式的縦断面図であり、図２は要部構成を示すブロック図である。本発明に係るデジタル複合機は、ＣＰＵ７０を備えており、このＣＰＵ７０にはバスを介してＲＯＭ７１、ＲＡＭ７２、操作パネル５、原稿読取部２、原稿搬送部１、画像処理部６、画像形成部３及び給紙部４等のハードウェアが接続されている。
【００２１】
図３は原稿搬送部１及び操作パネル５を示す模式的斜視図、図４は原稿搬送部１の要部構成を示す模式的縦断面図、図５は模式的横断面図である。
【００２２】
原稿搬送部１は、読取すべき原稿をフェイスアップの状態で積層するための原稿トレイ１８と、原稿トレイ１８に原稿Ａ（図５中、点線にて表示）を積層する際、原稿突き当て基準として用いられる原稿ガイド２８，２８と、原稿トレイ１８に積層された原稿Ａを上から１枚ずつ取込んで搬送するめのピックアップローラ１５とを備えており、ピックアップローラ１５により取り込まれた原稿Ａは、後述する読取窓２１を経由して排出までの搬送経路Ｒ（一点鎖線矢印）に沿って搬送される。原稿ガイド２８，２８は、積層される原稿Ａに合わせてピックアップローラ１５の軸方向に移動可能であり、前記軸方向における位置を検出できるように構成されている。
【００２３】
原稿トレイ１８は、原稿Ａの取り込み方向（図４中、矢印方向）の反対方向に延出された板状をなしており、原稿トレイ１８の端部には原稿Ａに付されたシート片（例えば、紙片、付箋等）を検出するシート片検出部１１が設けられている。搬送経路Ｒにおいて読取窓２１の前後に配設された上流側ローラ２３及び下流側ローラ２７を備えている。また、上流側ローラ２３から下流側ローラ２７までに原稿Ａが搬送される際、搬送される原稿Ａの上方から搬送をガイドするガイド部材２５と、上流側ローラ２３から読取窓２１までの原稿Ａの搬送を、搬送される原稿Ａの下方からガイドする上流側シュート２４と、読取窓２１から下流側ローラ２７までの原稿Ａの搬送を、搬送される原稿Ａの下方からガイドする下流側シュート２６を備えている。なお、画像の読取が済んだ原稿Ａが排出される排紙トレイ１７と、画像を読取った後に原稿Ａを排紙トレイ１７へ排出する排紙ローラ１９と、原稿トレイ１８上の原稿Ａの有無を検知する原稿検知センサ１６とを備えている。以下、便宜上、前記シート片が付箋Ｂ（図５中、一点鎖線にて表示）である場合を例として説明する。
【００２４】
ピックアップローラ１５は例えば円柱状であり、ゴム材からなる。ピックアップローラ１５はローラ軸１４に回転可能に取り付けられている。ローラ軸１４はピックアップローラ１５の中心軸を貫通しており、ピックアップローラ１５と独立して回転可能であり、原稿搬送方向に垂直な方向（図５中、白抜き矢印の方向）、即ち、軸方向に移動可能に構成されている。従って、ローラ軸１４の原稿搬送方向に垂直な方向（軸方向）への移動によって、ピックアップローラ１５も共に原稿搬送方向に垂直な方向（軸方向）に移動する。ローラ軸１４の一端部にはウォームギヤ１３ｂが設けられており、ウォームギヤ１３ｂを回転させることにより、ローラ軸１４を軸方向に移動させることが出来る。また、ピックアップローラ１５のみを回転させる駆動部（図示せず）を備え、ピックアップローラ１５が回転する際のピックアップローラ１５と原稿Ａとの摩擦力によって、原稿Ａが取り込まれる。
【００２５】
ローラ軸１４の一端部の近傍には、ローラ軸１４を回転させるための回転モータ１２が設けられている。回転モータ１２には、回転軸１６の一端部が軸支されている。回転軸１６の他端部にはウォームギヤ１３ａが嵌め込まれており、回転軸１６の回転と共に回転する。なお、ウォームギヤ１３ａは、ローラ軸１４のウォームギヤ１３ｂと噛合するように、適宜位置を整合している。従って、回転モータ１２の回転は、ウォームギヤ１３ａを介してウォームギヤ１３ｂに伝達され、ローラ軸１４（ピックアップローラ１５）は軸方向に移動する。以下、説明の便宜上、回転モータ１２が正回転する場合は、ピックアップローラ１５は、回転モータ１２に接近する方向（以下、接近方向という）に移動し、回転モータ１２が逆回転する場合は、回転モータ１２から遠離する方向（以下、遠離方向という）に移動することとする。なお、手動で回転モータ１２を正回転又は逆回転させることが出来るように駆動スイッチ（図示せず）を備えており、ユーザが必要に応じてピックアップローラ１５を前記軸方向に移動させることができる。
【００２６】
シート片検出部１１は原稿トレイ１８の端部に設けられている。詳しくは、原稿Ａが原稿ガイド２８，２８によって整列され、原稿トレイ１８に載置された状態における、原稿Ａの端の直近に設けられている。シート片検出部１１は、例えば、複数のフォトリフレクタを備えるラインセンサである。フォトリフレクタは赤外線ＬＥＤと赤外線フォトセンサとを組み合わせたものである。シート片検出部１１は、複数のフォトリフレクタが原稿Ａの前記端に沿って並設するように構成されている。つまり、載置された原稿Ａに付箋Ｂが付され、原稿Ａの端から延出している場合、付箋Ｂはシート片検出部１１の何れかのフォトリフレクタの上方に位置することとなる。これによって、原稿トレイ１８に載置された原稿Ａの取り込み方向（図５中、黒塗り矢印の方向）の後端から、換言すれば、原稿トレイ１８に載置された原稿Ａの取り込み方向の反対方向の端から延出された付箋Ｂの有無及び位置を検出することが出来る。シート片検出部１１は上述したものに限るものでなく、ＣＩＳラインセンサであっても良い。
【００２７】
以下、シート片検出部１１による、付箋Ｂの有無及び位置の検出方法について詳しく説明する。上述したように、フォトリフレクタは赤外線ＬＥＤと赤外線フォトセンサとを組み合わせたものである。前記赤外線ＬＥＤが赤外線を放出した場合、そのフォトリフレクタの上方に付箋Ｂがあるか否かによって赤外線フォトセンサの出力が変化するので、他のフォトリフレクタとの出力が異なる、言わば出力相違が生じる。また、付箋Ｂは、所定の幅を有しており、付箋Ｂが複数のフォトリフレクタの上方に亘って位置する場合は、連続する一連のフォトリフレクタにて前記出力相違が生じる。
【００２８】
例えば、原稿Ａは原稿トレイ１８に載置される際、原稿ガイド２８,２８（図５中、２点鎖線にて表示）によって整列される。また、原稿ガイド２８,２８は前記軸方向における位置を検出できるので、何れかの原稿ガイド２８から、前記出力相違が生じるフォトリフレクタまでの距離を演算することができ、これによって、付箋Ｂの有無、位置及び幅を検出することができる。つまり、前記出力相違が生じる一連のフォトリフレクタの中、両端側のフォトリフレクタまでの距離（図５中、ΔＨ１及びΔＨ２）を演算し、その差（ΔＨ１−ΔＨ２）を算出することによって、付箋Ｂの位置及び幅を検出できる。
【００２９】
また、原稿の画像データを読み取る原稿読取部２は、読取すべき原稿Ａが一枚ずつ整列された状態で載置される透明な板状の原稿台２２と、原稿台２２に載置され原稿Ａに光を照射する光源と、原稿Ａからの反射光を反射するミラーユニットと、ミラーユニットによって反射された原稿Ａからの反射光を集光して結像するイメージセンサのＣＣＤ（Charge Coupled Device）を備えている。また、原稿台２２の面方向に沿って設けられた読取窓７を備え、原稿搬送部１により搬送される原稿Ａに前記光源の光を照射させる。ＣＣＤは数千個のフォトセルを備えており、各フォトセルは光電変換を行い、入射した光をその光量に応じたアナログ電気信号に変換して出力する。ＣＣＤから出力されたアナログ電気信号は、増幅されてデジタル信号に変換する。その後、得られたデジタル信号に対して、原稿読取時の光源の配光特性、ＣＣＤの感度ムラ等の補正、ガンマ補正等を施すことによりデジタル形式の画像データを生成する。
【００３０】
画像処理部６は、例えば原稿読取部２において取得した画像データを処理するＡＳＩＣを備える。原稿読取部２にて取得した画像データについては印刷処理に適したデータへの変換を行う。すなわち、画像処理部６が取得する画像データは前記ＣＣＤが出力する電気信号（輝度信号）に係るデータを濃度データに変換する処理を行う。さらに、コントラストなどの画質調整、下地濃度についての補正、画像のぼやけ、粒状性劣化等を防ぐために空間周波数特性についての補正、文字の再現性を高めるための鮮鋭強調処理等を実行するようにしてもよい。
【００３１】
操作パネル５は、利用者による実行指示を受付ける操作部５ａと、利用者に対して報知すべき情報を表示する表示部５ｂとを備える。操作部５ａは、機能の切替操作キー、スタートキー、テンキー等の各種のハードウェアキーを備え、所定機能の実行に係る利用者の実行指示を受付ける。表示部５ｂは液晶ディスプレイ及びタッチパネルにより構成されており、操作部５ａを通じて入力された入力値等が表示される。また、前記タッチパネルには、倍率操作、記録用紙選択等に係るソフトキーが設けられ、利用者の指先が何れかのソフトキーに触れることにより、当該ソフトキーの実行指示を受付ける。
【００３２】
給紙部４は、複数種の記録用紙を収容する給紙カセット、該給紙カセットに収容された記録用紙を１枚ずつ取り込むピックアップローラ等を備え、前記給紙カセットに収容された記録用紙を１枚ずつ取り込んで画像形成部３へ搬送する。
【００３３】
ＣＰＵ７０はバスＮを介して上述したハードウェアを制御する。また、ＣＰＵ７０は、原稿検知センサ１６から検知結果を取得し、原稿トレイ１８の原稿を取り込んで搬送するか否か判定し、シート片検出部１１の検出結果に基づき、ピックアップローラ１５を軸方向に移動させるか否か判定する。なお、ピックアップローラ１５を軸方向に移動させる場合は、ピックアップローラ１５の移動量を算出する。
【００３４】
ＲＯＭ７１には上述した各ハードウェアを制御する制御プログラム、ピックアップローラ１５の軸方向における寸法及び位置に係るデータが既に記憶されている。ＲＡＭ７２は不揮発性であり、プログラムの実行時に発生する一時的なデータが記録される。例えば、シート片検出部１１によって付箋Ｂが検出された場合、該付箋Ｂの前記軸方向における寸法及び位置に係るデータが記憶される。また、ＣＰＵ７０は必要に応じて前記制御プログラムをＲＡＭ７２上にロードして実行することにより、デジタル複合機全体の動作を制御するように構成されている。
【００３５】
図６は本発明に係る原稿搬送装置及び、該原稿搬送装置を備えた画像形成装置における、ＣＰＵ７０の制御手順を示すフローチャートである。説明の便宜上、図３に示したように、原稿トレイ１８に一枚の原稿Ａが載置され、原稿Ａには、原稿Ａの端から延出するように、付箋Ｂが付されている場合を例として説明する。
【００３６】
ＣＰＵ７０は、原稿検知センサ１６の検知結果に基づき、原稿トレイ１８に原稿が載置されたか否かを判定する（ステップ１０１）。原稿トレイ１８に原稿が載置されていないと判定した場合（ステップ１０１：ＮＯ）、ＣＰＵ７０は原稿トレイ１８に原稿が載置されるまで待機する。一方、原稿トレイ１８に原稿が載置されたと判定した場合（ステップ１０１：ＹＥＳ）、ＣＰＵ７０は付箋の有無を検出する。
【００３７】
詳しくは、ＣＰＵ７０はシート片検出部１１にシート片の検出を指示する（ステップ１０２）。ＣＰＵ７０の指示によって、シート片検出部１１では、赤外線ＬＥＤの赤外線の放出及び赤外線フォトセンサからの出力が行われる。斯かるシート片検出部１１（赤外線フォトセンサ）からの出力に基づき、前記出力相違が生じるフォトリフレクタがあるかを監視することによって、ＣＰＵ７０は付箋の有無を判定する（ステップ１０３）。これによって、付箋の有無が検出される。
【００３８】
ＣＰＵ７０が付箋がないと判定した場合（ステップ１０３：ＮＯ）、処理はステップ１０６に進む。一方、ＣＰＵ７０が付箋があると判定した場合（ステップ１０３：ＹＥＳ）、当該付箋の位置を検出する（ステップ１０４）。斯かる検出は、ステップ１０２でのシート片検出部１１からの出力に基づき、例えば、何れかの原稿ガイド２８から、前記出力相違が生じるフォトリフレクタまでの距離を演算することによって行われる。詳しい方法に関しては上述の内容と同様であり、省略する。
【００３９】
次いで、ＣＰＵ７０は、前記軸方向において原稿に付された付箋がピックアップローラ１５と干渉するか否かを判定する（ステップ１０５）。斯かる判定は、ＲＯＭ７１に既に記憶されているピックアップローラ１５の前記軸方向における寸法及び位置に係るデータと、シート片検出部１１からの出力に基づき、上述したような方法によって算出した付箋の位置に係るデータを対比することによって行われる。詳しくは、原稿ガイド２８，２８は、原稿に合わせて前記軸方向に移動された場合であってもその位置が検出できるので、一の原稿ガイド２８からピックアップローラ１５の両端までの距離（図５中、ΔＬ１及びΔＬ２）を演算できる。前記ΔＬ１及びΔＬ２の中、何れか大きい方（ΔＬ１）が、前記ΔＨ１及びΔＨ２の中、何れか小さい方（ΔＨ２）より大きく、前記ΔＬ１及びΔＬ２の中、何れか小さい方（ΔＬ２）が、前記ΔＨ１及びΔＨ２の中、何れか大きい方（ΔＨ１）より小さい場合、ＣＰＵ７０は原稿に付された付箋がピックアップローラ１５と干渉すると判定する。
【００４０】
原稿に付された付箋がピックアップローラ１５と干渉しなと判定した場合（ステップ１０５：ＮＯ）、ＣＰＵ７０は載置された原稿の搬送を実行する（ステップ１０６）。つまり、ＣＰＵ７０は、ピックアップローラ１５を回転させ、前記原稿を取り込み、取り込まれた原稿は搬送経路Ｒに沿って搬送される。搬送経路Ｒに沿って搬送される原稿は読取窓２１を経由し、読取窓２１を経由する際、前記光源の光か照射され、前記原稿の画像データの読み取りが実行される（ステップ１０７）。
【００４１】
一方、原稿に付された付箋がピックアップローラ１５と干渉すると判定した場合（ステップ１０５：ＹＥＳ）、ＣＰＵ７０は、ピックアップローラ１５の移動量を算出する（ステップ１０８）。例えば、本発明の実施の形体においては、ピックアップローラ１５の移動量は、前記接近方向へ「ΔＨ１−ΔＬ２」だけの移動、又は前記遠離方向への「ΔＬ１−ΔＨ２」だけの移動となる。
【００４２】
このようにして算出された移動量に基づき、ＣＰＵ７０はピックアップローラ１５の移動を指示する（ステップ１０９）。ＣＰＵ７０の指示に従って、回転モータ１２は適宜正回転又は逆回転を行い、ピックアップローラ１５が前記接近方向又は遠離方向に移動する。従って、前記軸方向における、原稿に付された付箋とピックアップローラ１５との干渉が解消される。以降、処理はステップ１０６に進み、上述したような処理が行われる。ステップ１０６以降の処理については上述の内容と同様であり、詳しい説明を省略する。
【００４３】
なお、本発明は上述した内容に限るものでない。例えば、原稿トレイ１８に載置された原稿に付箋が付されていると視認したユーザが、前記原稿の取り込みの際、前記付箋と、ピックアップローラ１５とが干渉すると判断した場合は、ピックアップローラ１５を手動で移動させる前記駆動スイッチを操作して、ピックアップローラ１５を前記接近方向又は遠離方向に移動させ、付箋と、ピックアップローラ１５との干渉を解消することも可能である。
【００４４】
本実施の形体においては、一つの付箋が原稿に付されている場合を例として説明したが、これに限るものでない。原稿に複数の付箋が付されている場合は、各付箋の位置に係るデータと、ピックアップローラ１５の位置に係るデータとを対比して、各付箋とピックアップローラ１５が干渉しないように、ピックアップローラ１５を移動させればよい。なお、原稿に複数の付箋が付され、付箋と、ピックアップローラ１５との干渉を避けることが出来ないときは、その干渉が最小になるように、ピックアップローラ１５を移動させる構成にすればよい。
【図面の簡単な説明】
【００４５】
【図１】本発明に係るデジタル複合機の内部構成を示す模式的縦断面図である。
【図２】本発明に係るデジタル複合機の要部構成を示すブロック図である。
【図３】本発明に係るデジタル複合機の原稿搬送部及び操作パネルを示す模式的斜視図である。
【図４】本発明に係るデジタル複合機の原稿搬送部の要部構成を示す模式的縦断面図である。
【図５】本発明に係るデジタル複合機の原稿搬送部の要部構成を示す模式的横断面図である。
【図６】本発明に係る原稿搬送装置及び、該原稿搬送装置を備えた画像形成装置における、ＣＰＵの制御手順を示すフローチャートである。
【符号の説明】
【００４６】
１  原稿搬送部
２  原稿読取部
１１  シート片検出部
１２  回転モータ
１５  ピックアップローラ
２２  原稿台
７０  ＣＰＵ
Ａ  原稿
Ｂ  付箋（シート片）
【図１】
2010089882.tif 000003
【図２】
2010089882.tif 000004
【図３】
2010089882.tif 000005
【図４】
2010089882.tif 000006
【図５】
2010089882.tif 000007
【図６】
2010089882.tif 000008